(57)【要約】【課題】十分な支持強度を確保することができるとともに、位置出しも正確かつ容易に行なうことができる。【解決手段】建物躯体の胴差し１０から屋外側に向かって複数の支持ブラケット１１を平行に突設し、支持ブラケットの先端に前桁１を固定し、この前桁１と上記胴差し１０に設けられた根太掛け２４の各両端を妻梁２で連結して方形の底部枠３を構成し、底部枠を支持ブラケット１１で支持するとともに、根太掛け２４を、支持ブラケット１１の上部に配置されて建物躯体に固定される長尺の根太掛け上材２４ａと、上記支持ブラケット間に配されて建物躯体に固定される短尺の根太掛け下材２４ｂとから構成し、かつ根太掛け下材を根太掛け上材に係止し、根太掛け下材に根太４０を支持させた。【選択図】図７
2006070511.tif 000002
【特許請求の範囲】
【請求項１】
建物躯体の胴差しから屋外側に向かって複数の支持ブラケットを平行に突設し、支持ブラケットの先端に前桁を固定し、この前桁と上記胴差しに設けられた根太掛けの各両端を妻梁で連結して方形の底部枠を構成し、上記底部枠を上記支持ブラケットで支持するとともに、
上記根太掛けを、上記支持ブラケットの上部に配置されて建物躯体に固定される長尺の根太掛け上材と、上記支持ブラケット間に配されて建物躯体に固定される短尺の根太掛け下材とから構成し、かつ根太掛け下材を根太掛け上材に係止し、根太掛け下材に根太を支持させた
ことを特徴とするバルコニーの根太掛け取付け構造。
【請求項２】
前記根太掛け下材を、前記支持ブラケット間と前記支持ブラケットと前記妻梁との間に配置した、前記請求項１記載のバルコニーの根太掛け取付け構造。
【発明の詳細な説明】
【技術分野】
【０００１】
本発明はバルコニー、詳しくは支柱や建物躯体の柱を利用せず、建物躯体の胴差しを利用して支持されるバルコニーにおける根太掛け取付け構造に関するものである。
【背景技術】
【０００２】
一般に、木造住宅用のバルコニーには、建物躯体とは独立に設けられた支柱に直接支持させるタイプのものと、建物躯体の2本の柱からブラケットを突設し、これらのブラケットにバルコニーの妻梁を支持させる柱無しタイプのものがある。
【０００３】
ところが、建物躯体の片入隅部や両入隅部にバルコニーを設置する必要があるときは、建物躯体の柱を利用することができない。屋外に面する柱が、片入隅部では1本しかなく、両入隅部では全くないからである。そこで、建物躯体の胴差しを利用してバルコニーの床部を支持する方式のものが実施されている。これは、胴差しに複数の鋼鉄製のブラケットを固定し、さらに各ブラケットに筒形の梁を外嵌し、梁の先端に前桁を固定し、前桁と胴差しに設けられた根太掛けの各両端を妻梁で連結して方形の底部枠を構成するもので、底部枠を上記先付けブラケットで支持するものである（特許文献１参照）。
【特許文献１】特許第２６１８２９２号公報
【発明の開示】
【発明が解決しようとする課題】
【０００４】
ところで、バルコニーの根太掛けは特許文献１の「図４（Ｂ）」に示されるように、その下部に切欠きを有し、切欠きを梁の基部に嵌合して梁に支持させた状態で胴差しに固定されている。
【０００５】
しかしながら、このような切り欠き方式の根太掛けでは、現場の片入隅部や両入隅部の寸法は一定でないから、梁の間隔も一定とは限らない。したがって、切欠き方式の根太掛けでは、現場の状況に即時に対応することはできない。また、切欠きによって根太掛けが位置出しされるので、切欠きに精度が要求される。その対応策として、根太掛けに対してその長手方向に梁を移動可能に取り付け、現場の状況に応じて梁の位置を調整することが考えられる。また、根太掛けを上下に分け、長尺一体の上部根太掛けを梁の上に乗せ、その下方に短尺の下部根太掛けを梁の間に配置して固定する方式も考えられる。
【０００６】
しかし、前者の場合は、根太掛けに梁を摺動可能に固定するのは構造が複雑になり、重量が重くなり、胴差しの荷重負担が大きくなる。
【０００７】
また、後者の場合は、現場で適当に切断すればよいから、対応性は向上するが、下部根太掛けは直接に胴差しに固定されるだけであり、上記下部根太掛けに根太と床材とを支持させるから、下部根太掛けに十分な支持強度を確保するのは難しい。さらに、上部根太掛けと下部根太掛けとはそれぞれ独立に胴差しに固定される構造であるから、特に下部根太掛けの高さ位置を正確に位置出しして取り付けるのは面倒である。
【０００８】
本発明は上記問題点を解消し、十分な支持強度を確保することができるとともに、位置出しも正確かつ容易に行なうことができるバルコニーの根太掛け取付け構造を提供することをその課題とする。
【課題を解決するための手段】
【０００９】
前記課題を解決するため、本発明に係るバルコニーの根太掛け取付け構造は、建物躯体の胴差しから屋外側に向かって複数の支持ブラケットを平行に突設し、支持ブラケットの先端に前桁を固定し、この前桁と上記胴差しに設けられた根太掛けの各両端を妻梁で連結して方形の底部枠を構成し、上記底部枠を上記支持ブラケットで支持するとともに、上記根太掛けを、上記支持ブラケットの上部に配置されて建物躯体に固定される長尺の根太掛け上材と、上記支持ブラケット間に配されて建物躯体に固定される短尺の根太掛け下材とから構成し、かつ根太掛け下材を根太掛け上材に係止し、根太掛け下材に根太を支持させたことを特徴とする。
【００１０】
なお、前記根太掛け下材を、前記支持ブラケット間と前記支持ブラケットと前記妻梁との間に配置してもよい。
【発明の効果】
【００１１】
請求項１に係る発明によれば、根太掛けは長尺の根太掛け上材と、短尺の根太掛け下材とから分割されているので、根太掛けを支持ブラケットの外形に応じてコ字形に切り欠く必要がない。
【００１２】
上記根太掛け上材は支持ブラケットの上部に配置して位置を出し、根太掛け下材は根太掛け上材に係止して位置を出すので、高さ位置の位置出しを容易かつ正確に行なうことができる。
【００１３】
また、根太およびその上の床材は直接には根太掛け下材に支持されるが、根太掛け下材は根太掛け上材に係止しているので、根太掛け上材も根太およびその上の床材の荷重を負担する。このように、根太掛け上材・下材で根太と床材の荷重を支持するので、十分に荷重負荷に耐えることができる。
【００１４】
請求項２に係る発明によれば、支持ブラケット間と支持ブラケットと妻梁との間に配置されるので、支持ブラケットと妻梁との間に根太を配置する場合にも対応することができる。
【実施例】
【００１５】
図１は建物躯体の壁面に設置されたバルコニーを示す。このバルコニーは前桁１と前桁１の両側の妻梁２とをコ字形に連結し、さらに両側の妻梁２の基部側の端部を根太掛け（図示せず）で連結することによって方形の底部枠３を形成し、その内側に床材９を配し、前桁１と妻梁２の上部に桁上柱４と壁付け縦枠５と縦格子６とを立設し、さらにこれらの部材の上に上下2段の前笠木７と妻笠木８とを連続配置したもので、９上記各部材はアルミニウムから構成されている。
【００１６】
次に、上記バルコニーは胴差し１０に平行に突設された複数の（ここでは2本の）支持ブラケット１１によって支持されている。図２および図３に示されるように、支持ブラケット１１は先付けブラケット１１ａと後に詳しく示す固定ブラケット１１ｂとにより構成されている鋼鉄製の部材である。先付けブラケット１１ａは、断面がコ字形で、基部には固定板１２が溶接固定されている。先付けブラケット１１ａは、固定板１２から挿通して胴差し１０を貫通させたボルト１５を上記補強ブラケット１４にナット１６で締め付けて固定する。なお、１７は根太、１８は床梁、１９は側根太である。根太１７の一部は補強金具１４ａで補強するのが好ましい。
【００１７】
なお、建物躯体の胴差し１０の先付けブラケット１１ａの取付部分、つまり先付けブラケット１１ａの延長方向にある胴差し１０の背面側には、甲乙梁１３を配置して建物躯体を補強しておくのが好ましい。そして、胴差し１０に対する甲乙梁１３の突き当て部にＬ字形の補強ブラケット１４を固定し、固定板１２から挿通して胴差し１０を貫通させたボルト１５を上記補強ブラケット１４にナット１６で締め付け固定する。なお、１７は根太、１８は床梁、１９は側根太である。
【００１８】
胴差し１０の先付けブラケット取付部の背面側を補強するには、甲乙梁１３ではなく、適宜の補強金具を用いてもよい。
【００１９】
また、図４に示されるように、先付けブラケット１１ａを側根太１９部分に固定するときは、補強梁１３を取り付けた後、補強金具１４を使用して図３と同様にして固定する。
【００２０】
次に、図５〜図９に示されるように、胴差し１０の側面には根太掛け２４を固定する。根太掛け２４は根太掛け上材２４ａと根太掛け下材２４ｂとから構成され、根太掛け上材２４ａは両側の妻梁間の間隔に対応する連続一体のものとして形成され、垂直の取付縁２５の上端からデッキカバー部２２を直角に突出するとともに、図８に示されるように、上記取付縁２５の下端には背面側に開口する係止溝２６が形成されている。係止溝２６の下側部は上側部よりも短く形成されている。そして、図５のように、先付けブラケット１１ａの上に配置して（乗せてもよい）位置出しした後、上記取付縁２５をコーチスクリュー３２等の固定手段によって壁面に固定する。このとき、係止溝２６の下部と胴差し１０との間には隙間が形成さ
れる。これに対し、根太掛け下材２４ｂは、先付けブラケット１１ａ間と先付けブラケット１１ａ・妻梁２間に配置される分割材で、取付縁２８と根太受け２９とを略Ｌ字形に形成してなり、取付縁２５の上端には係止部３０が屈曲形成されている。根太掛け下材２４ｂを固定するときは、図８の点線のように、取付縁２８を水平にして根太掛け上材２４ａの下端まで持ち上げて先端の係止部３０を根太掛け上材２４ａの係止溝２６に差込んだ後に矢印のように回転させて、根太掛け下材２４ｂを根太掛け上材２４ａに係止させ、これによって位置出しした後に上記取付縁２８をコーチスクリュー３２等の固定手段によって胴差し１０に固定する。
【００２１】
なお、根太掛け上材２４ａと根太掛け下材２４ｂとは、それぞれ切断によって長さを調整できるから、現場の状況に容易に対応することができる。
【００２２】
次に、図９に示されるように、先付けブラケット１１ａの先端には固定ブラケット１１ｂを介して前桁１が固定されている。固定ブラケット１１ｂは鋼鉄製の板材を折り曲げ加工したもので、先付けブラケット１１ａとともに支持ブラケット１１を構成する。そして、固定ブラケット１１ｂの端部の折り曲げ部３３を前桁１にボルトで固定し、さらに先付けブラケット１１ａの内側に嵌合され、先付けブラケット１１ａの側板の長穴３４からボルト３５を固定ブラケット１１ｂの側部のネジ孔３６に螺合して固定されている。前桁１と根太掛け２４の各両端は妻梁２によって連結し、方形の底部枠３が形成される。
【００２３】
そして、図１０（ａ）および図１１のように、根太４０の両端を底部枠３の根太掛け下材２４ｂの根太受け２９と前桁１の背面に固定したブラケット４１とに支持させてボルト４３で固定し、さらに根太４０の上部と妻梁２の内側の妻雨樋４２にデッキ材９（床材）を支持させて底部の主要部が構成される。
【００２４】
なお、根太の配置は地域によっても異なるので、図１０（ａ）に限定されず、同図（ｂ）のように、支持ブラケット１１と妻梁との間に根太４０を配置固定することもできる。
【００２５】
また、図１０（ａ）に示されるように、支持ブラケット１１には、下からカバー３７が取り付けられている。このカバー３７は下面部３７ａと両側面部３７ｂとから断面コ字形に形成されたアルミニウム製押出形材で、先付けブラケット１１ａよりやや幅広で、略同じ高さとし、下から支持ブラケット１１の上面部４４を除き、その下面部４５と両側面部４６とを覆い、カバー３７の下面部３７ａは前記支持ブラケット１１の下面にネジ３８によって固定されている。３９は小口蓋である。
【００２６】
上述のように、支持ブラケット１１は強度の高い鋼鉄製であるから、バルコニーを支持するのに十分な強度を確保することができる。また、支持ブラケット１１は鋼鉄製であるのに対し、その他のバルコニーの各部材はアルミニウム製であり、上記支持ブラケット１１がバルコニーの下方に露出するが、支持ブラケット１１はアルミニウム製のカバー３７によって覆われるので、下方から見たときの外観上の体裁を良好にすることができる。
【００２７】
また、根太掛けは上下に分割されているので、根太掛けを先付けブラケットの外形に応じてコ字形に切り欠く必要がない。
【００２８】
上記根太掛け上材２４ａは先付けブラケットの上面に乗せた上体で位置を出し、根太掛け下材２４ｂは根太掛け上材２４ａに係止して位置を出すので、高さ位置の位置出しを非常に容易かつ正確に行なうことができる。
【００２９】
また、根太４０およびその上の床材９は直接には根太掛け下材２４ｂに支持されるが、根太掛け下材２４ｂは根太掛け上材２４ａに係止しているので、根太掛け上材２４ａも根太４０およびその上の床材９の荷重を負担する。このように、根太掛け上材２４ａ・下材２４ｂで根太４０と床材９の荷重を支持するので、十分に荷重負荷に耐えることができる。
【００３０】
なお、上述の例は、建物躯体の通常の壁面から突出するバルコニーを胴差しに固定された支持ブラケットに支持させた例であるが、上記バルコニーは、同様の要領で建物躯体の片入隅部または両入隅部に設置することもできる。
【図面の簡単な説明】
【００３１】
【図１】本発明に係るバルコニーの斜視図である。
【図２】胴差しに対する先付けブラケットの取付状態を示す斜視図である。
【図３】胴差しに対する先付けブラケットの取付態様を示す斜視図である。
【図４】側根太に対する先付けブラケットの取付態様を示す斜視図である。
【図５】根太掛けの取付態様説明図である。
【図６】根太掛けの取付状態を示す斜視図である。
【図７】根太掛けの配置状態を示す概略図である。
【図８】根太掛けの取付けの具体的取付態様を示す側面図である。
【図９】支持ブラケットの取付態様を示す斜視図である。
【図１０】（ａ）（ｂ）は根太とカバーの取付態様を示す断面図である。
【図１１】バルコニーの要部の縦断面図である。
【符号の説明】
【００３２】
１  前桁
１０  胴差し
１１  支持ブラケット
２４  根太掛け
２４ａ  根太掛け上材
２４ｂ  根太掛け下材
【図１】
2006070511.tif 000003
【図２】
2006070511.tif 000004
【図３】
2006070511.tif 000005
【図４】
2006070511.tif 000006
【図５】
2006070511.tif 000007
【図６】
2006070511.tif 000008
【図７】
2006070511.tif 000009
【図８】
2006070511.tif 000010
【図９】
2006070511.tif 000011
【図１０】
2006070511.tif 000012
【図１１】
2006070511.tif 000013